(57)【要約】【課題】水質改善機能を有するとともに、藻の繁殖を促進しかつ水中に有害物質が溶出しない魚礁ブロックを提供すること。【解決手段】表面がメッシュ状に形成されて通水性を有するゼオライト収容部２０に、ゼオライト粒状物１０を収容し、ゼオライト収容部２０の下方に錘部３０を配設して魚礁ブロック１００を形成する。【選択図】　図１
2004089133.tif 000002
【特許請求の範囲】
【請求項１】
ゼオライト粒状物と、表面がメッシュ状に形成されて通水性を有し、前記ゼオライト粒状物を収容するゼオライト収容部と、該ゼオライト収容部の下方に配設される錘部とを有することを特徴とするゼオライトを利用した魚礁ブロック。
【請求項２】
ゼオライト収容部は、内部に水を通水させる通水路が形成されることを特徴とする請求項１に記載のゼオライトを利用した魚礁ブロック。
【請求項３】
ゼオライト収容部は、外周面部と内周面部とを有して筒型に形成されており、前記内周面部の内側に上方開口形成される第一通水路と、前記外周面部と前記内周面部とを貫通し前記第一通水路に連続する第二通水路とを有することを特徴とする請求項２に記載の魚礁ブロック。
【請求項４】
表面が耐腐食性塗料によりコーティング処理されていることを特徴とする請求項１から３に記載のゼオライトを利用した魚礁ブロック。
【請求項５】
錘部は、周面または底面から下方に向かって延設される脚部を有することを特徴とする請求項１から４に記載のゼオライトを利用した魚礁ブロック。
【請求項６】
脚部は、先端を折曲げ形成してなる鈎部を有することを特徴とする請求項５に記載のゼオライトを利用した魚礁ブロック。
【発明の詳細な説明】
【０００１】
【発明の属する技術分野】
本発明は、魚礁ブロックに関するものであり、特に、水質改善機能を備えた魚礁ブロックに関するものである。
【従来の技術】
従来より、海や河川、湖に生息する魚等の水生生物の保護育成のための手段として、いわゆる魚礁ブロックを海底や湖底、河川底に沈設することが行われている。特に、近年においては、埋め立て等による自然破壊や水質汚染が深刻化しており、生態系への影響が懸念されていることから、水質を改善し水性生物にとって生息しやすい環境を取り戻そうする動きが活発化してきており、その一環として魚礁ブロックの設置が進められている。
【０００２】
一般に、魚礁ブロックは、成形のしやすさやコストの面からコンクリートから作製されたものが多く用いられており、その形状は円筒形や角筒形のもの、表面に凹凸を有するもの等多種多様である（例えば、特許文献１参照）。魚礁ブロックを海底等に設置すると、その表面に藻や微生物が繁殖し、結果的に水生生物の住処や餌場、隠れ場となりうる場所を提供することができる。
【０００３】
しかしながら、上記コンクリート製の魚礁ブロックは積極的に水質改善を行うものではないために、汚染の進行した場所に設置しても魚礁として十分な効果を発揮することができなかった。また、コンクリート製の魚礁ブロックでは、水生生物の餌場や産卵場となりうる藻の発育が遅く、魚礁として十分な機能を発揮できるまでに時間がかかっていた。さらに、コンクリート製であることから水中では腐食が起こりやすく、長期間設置していると強アルカリ成分のような有害物質が水中に溶出してきて、逆に水生生物に悪影響を及ぼす虞があった。
【０００４】
一方、近年において、水質改善資材としてゼオライトが注目されている。ゼオライトは、スポンジ状の網目構造を有する含水アルミノ珪酸塩の多孔質鉱物であり、優れたイオン交換作用を有する。そこで、その特性を活かして、ヘドロ処理や汚廃水処理に用いられて絶大な効果を挙げている他、肥料、建設資材等、様々な分野で用いられている。
【０００５】
【特許文献１】
特開平７−７９６６１号公報
【０００６】
【発明が解決しようとする課題】
本発明は、上記利点を備えるゼオライトを魚礁ブロックに応用することにより、従来の魚礁ブロックの問題点を解消するものである。すなわち、本発明は、水質改善機能を有するとともに、藻の繁殖を促進しかつ水中に有害物質が溶出することのない、水生生物にとって快適な生育環境を作り出すことができるゼオライトを利用した魚礁ブロックを提供することを課題とするものである。
【０００７】
【課題を解決するための手段】
上記課題を解決するために、請求項１に記載した発明が採った手段は、ゼオライト粒状物１０と、表面がメッシュ状に形成されて通水性を有し、ゼオライト粒状物１０を収容するゼオライト収容部２０と、ゼオライト収容部２０の下方に配設される錘部３０とを有することを特徴とするゼオライトを利用した魚礁ブロック１００である。
【０００８】
このゼオライトを利用した魚礁ブロック１００は、ゼオライト粉砕物１０を全体がメッシュ状に形成されたゼオライト収容部２０に収容し、ゼオライト収容部２０の下方に錘部３０を設けて水底に設置可能としたものである。すなわち、ゼオライト収容部２０の表面をメッシュ状とすることによって、ゼオライト粉砕物１０が常時水と接触して設置した水域の浄化を行えるようにした魚礁ブロック１００である。また、ゼオライト粒状物１０から藻や植物性プランクトンの生育に必要な鉄分、ミネラル等の微量成分が溶出されるので、藻や植物性プランクトンの生育を促進することができる。また、コンクリートを用いずに作製することが可能なので、長期間設置しても有害物質が溶出される心配がない。
尚、以下において、単に「魚礁ブロック」という場合には、便宜上、本発明に係るゼオライトを利用した魚礁ブロックをいうものとする。
【０００９】
また、請求項２に記載した発明が採った手段は、ゼオライト収容部２０は、内部に水を通水させる通水路２５、２６が形成されることを特徴とする請求項１に記載のゼオライトを利用した魚礁ブロック１００である。
【００１０】
ゼオライト収容部２０に通水路２５、２６を設けることで、ゼオライト収容部２０内部における水の移動が促進されてゼオライト粒状物１０の水質改善機能を十分に発揮できるようになる。また、通水路２５、２６が、水生生物の住処や隠れ場となって、水生生物がより集まりやすい魚礁を形成することができる。
【００１１】
また、請求項３に記載した発明が採った手段は、ゼオライト収容部２０は、外周面部２３と内周面部２４とを有する略筒型に形成されており、内周面部２３の内側に形成される第一通水路２５と、外周面部２４と内周面部２３とを貫通し第一通水路２５に連続する第二通水路２６とを有することを特徴とする請求項２に記載の魚礁ブロック１００である。
【００１２】
このように第一通水路２５と第二通水路２６とを形成することによって、ゼオライト収容部２０に水が上下及び横方向に通水できるようになるので、ゼオライト収容部２０内部への通水性をより向上させることができる。
【００１３】
また、請求項４に記載した発明が採った手段は、表面が耐腐食性塗料によりコーティング処理されていることを特徴とする請求項１から３に記載のゼオライトを利用した魚礁ブロック１００である。
【００１４】
魚礁ブロック１００の表面を耐腐食性塗料でコーティング処理することにより、魚礁ブロック１００の構成材料の腐食を確実に防止することができる。
【００１５】
また、請求項５に記載した発明が採った手段は、錘部３０は、周面または底面から下方に向かって延設される脚部４０を有することを特徴とする請求項１から４に記載のゼオライトを利用した魚礁ブロック１００である。
【００１６】
このゼオライトを利用した魚礁ブロック１００は、水底に設置する際に、錘部３０の周面または底面から下方に向かって延設された脚部４０を地面に埋め込んで設置することにより、魚礁ブロック１００が水流に流されて移動することのないよう定位置で固定できるようにしたものである。
【００１７】
また、請求項６に記載した発明が採った手段は、脚部４０は、先端を折曲げ形成してなる鈎部４１を有することを特徴とする請求項５に記載のゼオライトを利用した魚礁ブロック１００である。
【００１８】
これは、脚部４０の先端に鈎部４１に形成することによって、脚部４０が地中から抜け出ないようにして魚礁ブロック１００が上下動することを防止するものである。
【００１９】
【発明の実施の形態】
本発明は、ゼオライトを利用した魚礁ブロックであり、ゼオライト粉砕物と、ゼオライト粉砕物を収容するゼオライト収容部と、錘部とを有する。
【００２０】
ゼオライト粒状物には、モルデナイト系、クリノプチロライト系の天然ゼオライト岩を粉砕したものの他、合成ゼオライトまたは人工ゼオライトの粒状物を用いることができ、特に、モルデナイト系の天然ゼオライトは、陽イオン交換量に優れるため特に好ましい。そして、これらのうちの一種のみを用いてもよいし、二種以上を混合して用いてもよい。ゼオライト粒状物の粒径は特に限定されるものではないが、８〜１５ｍｍの大きさのものを用いることが好ましい。
【００２１】
ゼオライト収容部は、表面全体がメッシュ状のカゴ型に形成されて、内部に上述したゼオライト粒状物を収容する。表面全体をメッシュ状に形成することにより、ゼオライト収容部は通水性を有することとなり、水底に設置したときに収容されるゼオライト粒状物が水と接触して浄水機能を発揮できるようになる。
【００２２】
ゼオライト収容部は、金属材料またはプラスチック材料から作製することができる。例えば、金属製の網材をカゴ状に成形して作製することや、防錆金属からなる枠体とプラスチック製の表面材とから構成して、これらを組み合わせて形成すること等が考えられる。ゼオライト収容部の形状は、例えば、円柱形、角柱形、筒形等が考えられるが、特には限定されるものではなく、設置する水底の環境や魚礁の目的に合わせて設定すればよい。また、ゼオライト収容部は、少なくとも浄水機能を十分に発揮できる量のゼオライト粒状物を収納できる容量を有するように形成する。
【００２３】
ゼオライト収容部には通水路を形成してもよい。通水路を形成することにより、収容されるゼオライト粒状物への通水性が向上し、浄化機能をより効果的に発揮することができるようになるとともに、水生生物が通水路内に入ってこれを住処や隠れ場とすることができるので、水生生物がより生息しやすい環境を作ることができるようになる。通水路は、例えば、収容部を上下方向または水平方向に貫通するようにして形成すること挙げられる。また、収容部に二カ所以上設けてもよく、その形状も特に限定されるものではない。
【００２４】
錘部は、魚礁ブロックを水底に安定して沈設できるようにするため、ゼオライト収容部の下方に配設されるものである。錘部は、鉄、鉛等の金属の他、コンクリートから作製することができる。このとき、表面には、腐食を防止するための耐腐食性塗料を塗布してコーティング処理しておくとよい。耐腐食性塗料にて表面をコーティングすることにより、長期間水底に設置しておいても腐食が起こらず、有害物質が水中に溶出することを防止することができる。耐腐食性塗料としては、例えば、ポリエステル系樹脂塗料を用いることが挙げられる。尚、耐腐食性塗料は、錘部に限らず、上述したゼオライト収容部の表面に塗布しておいてもよい。
【００２５】
また、錘部には脚部を設けてもよい。脚部を設けることで、魚礁ブロックを水流の激しい水底に設置したり、あるいはヘドロが大量に堆積して地盤が不安定な水底に設置する場合において、脚部を地中に埋め込んで設置できるので、魚礁ブロックを定位置に固定することが可能となる。従って、脚部は魚礁ブロックを水底に設置したときに地中に埋まるよう錘部の底面または周面から下方に向かって突出するようにして設けるとよい。
【００２６】
脚部は棒状部材から作製することができ、このとき地面に埋め込まれる先端部分を鈎状に折曲げ形成するとよい。先端部分を鈎状とすることで、脚部が抜けにくくなり、魚礁ブロックの上下動が防止されてしっかりと固定できるようになる。
以下、本発明の実施例を図に基づいて説明する。
【００２７】
（実施例１）
図１には、本実施例に係るゼオライトを利用した魚礁ブロック１００が示されている。
【００２８】
魚礁ブロック１００は、ゼオライト粒状物１０と、ゼオライト粒状物１０を収容するゼオライト収容部２０と、錘部３０とを有し、全体が略円柱形に形成されている。
【００２９】
ゼオライト粒状物１０は、モルデナイト系ゼオライト岩を粉砕処理して粒状化したものであり、次に説明するゼオライト収容部２０に収容される。
【００３０】
図２には、本実施例に係る魚礁ブロック１００であって、ゼオライト粒状物を収容していない状態を示している。ゼオライト収容部２０は、略円筒形に形成される。ゼオライト収容部２０は、枠体２１と表面材２２とから構成される。枠体２１は、防錆処理を施した鋼材を複数組み合わせて形成され、魚礁ブロック１００をクレーンで持ち上げられるようにするためのフック２７、２７が上端に２カ所対向する位置に設けられている。表面材２２は、枠体２１に配設されて、略円筒形のゼオライト収容部の内周面部２３及び外周面部２４を形成する。表面材２２は、ゼオライト収容部２０の内部にゼオライト粒状物１０を保持できるようゼオライト粒状物１０の粒径よりも小さい網目孔を有したプラスチック製のメッシュ素材からなっている。このように表面材２２にメッシュ素材を用いたことで、ゼオライト収容部２０全体が通水性を有し、収容されるゼオライト粒状物１０に満遍なく水が接触することができる。また、ゼオライト収容部２０の上面は、ゼオライトの投入や交換作業等を容易に行えるように脱着を自在に行える蓋部２８となっている。蓋部２８は、表面材２２と同様のメッシュ素材からなり、図示しない止め具によって枠体２１に取り付けられている。
【００３１】
さらに、ゼオライト収容部２０には、第一通水路２５と第二通水路２６とが形成される。図３には、本実施例に係る魚礁ブロック１００を上面から見た図を示している。第一通水路２５は、ゼオライト収容部２０の略円筒形中央の開口部分、すなわち、内周面部２３より内側の空隙部分からなる。第二通水路２６は、ゼオライト収容部２０の下部に４カ所形成されており、ゼオライト収容部２０の外周面部２４から内周面部２３に向かって貫通して第一通水路２５に連続するよう形成されている。このように第一通水路２５と第二通水路２６とを形成することにより、水底に設置した魚礁ブロック１００の周囲の水がゼオライト収容部２０の上下及び横方向に効率良く通水できるようになるので、ゼオライト粒状物１０による水質改善機能が十分に発揮できるようになる。
【００３２】
錘部３０は、上述したゼオライト収容部２０の下方に配設されており、その底面が水底に接地する。錘部は、コンクリートからなっており、ゼオライト収容部２０と同じ直径を有する円柱形状に形成されている。そして、錘部３０の表面には、耐腐食性塗料であるポリエステル系樹脂塗料が塗布されている。錘部３０をコンクリートで作製した場合、これをそのままで長時間水底に設置しておくと、次第に表面から腐食がはじまり、コンクリート中に含まれる強アルカリ性物質等の有害物質が水中に溶出してくる虞がある。耐腐食性塗料は、この有害物質の溶出を防止するために塗布されるものである。
【００３３】
（実施例２）
図４には、実施例２に係る魚礁ブロック１００を示している。本実施例に係る魚礁ブロック１００は、ゼオライト粒状物１０と、ゼオライト収容部２０と、錘部３０とを有しており、その基本構成は実施例１と同様である。しかし、錘部３０に脚部４０を配設している点で実施例１とは相違する。従って、ここでは実施例１との相違点である脚部４０について詳細に説明し、それ以外の構成については説明を省略することとする。
【００３４】
脚部４０は、地中に埋め込み可能なように錘部３０の底面３０ａから下方に向かって突出して配設されている。脚部４０は、ステンレス鋼からなる棒状部材からなっており、その一端が錘部の底面に固着されて下方に向かって垂設されている。そして、他端は、鈎状に折曲げられて鈎部４１が形成されている。
【００３５】
魚礁ブロック１００を水底に設置する際に、脚部４０を地中に埋め込んで設置することにより、魚礁ブロック１００が水流等の外力によって容易に移動しないようしっかりと固定できるようになり、特に、ヘドロが堆積したような軟質土からなる水底に設置するような場合に有効である。
【００３６】
上記実施例１及び実施例２に記載したゼオライトを利用した魚礁ブロック１００を海、河川、湖の水底に複数設置することにより、人工漁礁を形成することができる。図５には、実施例２に係る魚礁フロック１００を水底に設置した状態を示している。魚礁ブロック１００は、脚部４０が地中に埋め込まれた状態でしっかりと固定されており、魚礁ブロック１００を設置した周囲にはゼオライト粒状物を撒布している。これによって、周辺水域をより効果的に浄水することができるようになる。
【００３７】
また、従来より、廃船を水底に沈めて、これを魚礁として利用することが行われているが、このときに、錘に代用して魚礁ブロック１００を船内に積み込んで一緒に沈めてもよい。
【００３８】
以上に述べたように、実施例１及び実施例２に係るゼオライトを利用した魚礁ブロックは、従来の魚礁ブロックにはない浄水機能を備えるとともに、ゼオライトから微量に溶出される鉄分、ミネラル等が水生生物の生育を促進するので、藻が短時間で繁殖するようになる。また、魚礁ブロックから有害物質が水中に溶出する虞がないので、環境に悪影響を与える心配がない。従って、本実施例に係る魚礁ブロックは、漁場、養魚場のみならず、水質汚染の進行した水域に設置することによって、水生生物にとって快適な水質環境を作り出すことができるので、生態系の回復に有効な魚礁ブロックである。
【００３９】
【発明の効果】
請求項１に記載のゼオライトを利用した魚礁ブロックによれば、ゼオライト粉砕物と、表面がメッシュ状に形成されてゼオライト粉砕物を収容するゼオライト収容部と、ゼオライト収容部の下方に配設される錘部とを備えたことにより、ゼオライト粉砕物により水中の汚染物質が吸着除去されて設置水域の水質改善が図ることができる。また、ゼオライト粉砕物から鉄分、ミネラル等が溶出されることで、藻や植物性プランクトンの繁殖が促進されて、魚やその他の水生生物が生息しやすい環境を作り出し、結果として優れた魚礁機能を発揮することができる。従って、本発明に係るゼオライトを利用した魚礁ブロックを養魚場や漁場等に適用することによって、水生生物の生育環境の整った養魚場や漁場等を提供することができる。
【００４０】
請求項２に記載したゼオライトを利用した魚礁ブロックによれば、請求項１に記載したゼオライトを利用した魚礁ブロックの効果に加えて、
ゼオライト収容部に通水路を設けることで、ゼオライト収容部における水の移動が促進されてゼオライト粒状物の水質改善機能を十分に発揮できるようになる。また、通水路が、水生生物の住処や隠れ場となって、水生生物がより集まりやすい魚礁を形成することができる。
【００４１】
請求項３に記載したゼオライトを利用した魚礁ブロックによれば、請求項２に記載したゼオライトを利用した魚礁ブロックの効果に加えて、ゼオライト収容部に第一通水路と第二通水路とを形成したことにより、ゼオライト収容部における水の移動がより促進されて水質改善機能をより向上させることができる。
【００４２】
請求項４に記載したゼオライトを利用した魚礁ブロックによれば、請求項１から３に記載したゼオライトを利用した魚礁ブロックの効果に加えて、表面を耐腐食性塗料によってコーティング処理したことにより、魚礁ブロックの表面の腐食を防止できるので、有害物質の水中への溶出がなくなって水質環境に悪影響を与えない魚礁ブロックを提供することができる。
【００４３】
請求項５に記載したゼオライトを利用した魚礁ブロックによれば、請求項１から４に記載したゼオライトを利用した魚礁ブロックの効果に加えて、錘部の周面または底面から下方に向かって脚部を延設したことにより、魚礁ブロックを水底に設置する際に脚部を地中に埋め込んで設置することで魚礁ブロックを固定することができるので、水流によって移動することを防止することができる。
【００４４】
請求項６に記載したゼオライトを利用した魚礁ブロックによれば、請求項５に記載したゼオライトを利用した魚礁ブロックの効果に加えて、脚部の先端を鈎状に形成したことにより、脚部が地中から抜け出ることが防止されて、例えば地震等が発生した場合であっても魚礁ブロックをしっかりと所定位置に固定することができる。
【図面の簡単な説明】
【図１】実施例１に係る魚礁ブロックの斜視図である。
【図２】実施例１に係る魚礁ブロックであって、ゼオライト粒状物を収容していない状態を示す斜視図である。
【図３】実施例１に係る魚礁ブロックの上面図である。
【図４】実施例２に係る魚礁ブロックの斜視図である。
【図５】本発明に係る魚礁ブロックを設置方法を説明する図である。
【符号の説明】
１０　　ゼオライト粒状物
２０　　ゼオライト収容部
２３　　内周面部
２４　　外周面部
２５　　第一通水路
２６　　第二通水路
３０　　錘部
４０　　脚部
４１　　鈎部
【図１】
2004089133.tif 000003
【図２】
2004089133.tif 000004
【図３】
2004089133.tif 000005
【図４】
2004089133.tif 000006
【図５】
2004089133.tif 000007